(57)【要約】【課題】虫を誘引可能な範囲の拡大化を図ることができ、捕虫シートの延出方向の大きさを変えた設計を容易に行うことができるようにすること。【解決手段】虫を誘引する誘引手段１２と、誘引手段１２の近傍に繰り出される捕虫シート１１と、この捕虫シート１１を繰り出し可能に保持する保持手段１３と、捕虫シート１１の繰り出しをガイドする案内手段１５とを備えて捕虫器１０が構成されている。捕虫シート１１は、帯状をなす基材シート１１Ａと、この基材シート１１Ａの一方の面に積層された接着剤層１１Ｂとを備えている。案内手段１５は、捕虫シート１１が誘引手段１２の近傍に繰り出されたときに、捕虫シート１１の幅方向中央部が誘引手段の反対側に膨出するように形成される。【選択図】図１
2008173026.tif 000002
【特許請求の範囲】
【請求項１】
虫を誘引する誘引手段と、前記誘引手段の近傍に繰り出される捕虫シートと、この捕虫シートの繰り出しを許容し当該捕虫シートを保持する保持手段と、捕虫シートの前記繰り出しを補助する案内手段とを備えた捕虫器において、
前記捕虫シートは、帯状をなす基材シートの一方の面に積層された接着剤層を含み、
前記案内手段は、捕虫シートが誘引手段の近傍に繰り出されたときに、当該捕虫シートの接着剤層側であって幅方向中央部を前記誘引手段の反対側に膨出した状態に形成することを特徴とする捕虫器。
【請求項２】
前記案内手段は、基材シートの他方の面に当接可能に設けられるとともに、捕虫シートの繰り出し方向に直交する方向の断面形状を湾曲状に膨出形成することを特徴とする請求項１記載の捕虫器。
【請求項３】
前記捕虫シートが案内手段に繰り出される前後にそれぞれ設けられたガイドローラを含み、前記案内手段は、ガイドローラから案内手段へ延びる捕虫シートを次第に膨出形成することを特徴とする請求項１又は２記載の捕虫器。
【請求項４】
前記案内手段は、軸線が円弧状に形成されて前記誘引手段を囲う方向に延びる複数の棒状部材を備えて構成されていることを特徴とする請求項１，２又は３記載の捕虫器。
【請求項５】
前記捕虫シートには、基材シートの繰り出し方向に沿う両端に沿って接着剤層を積層しない非接着領域が設けられ、
前記誘引手段を収容する笠部材と、この笠部材に設けられるとともに、前記非接着領域に相対して基材シートの繰り出しを規制するガイド手段とを更に含み、
前記ガイド手段は、笠部材と、基材シートの繰り出し方向に沿う両端との間を含む領域をカバー可能に設けられていることを特徴とする請求項１ないし４の何れかに記載の捕虫器。
【発明の詳細な説明】
【技術分野】
【０００１】
本発明は、捕虫器に係り、更に詳しくは、効率良く捕虫を行うことができる捕虫器に関する。
【背景技術】
【０００２】
従来より、例えば、食品や粘着シート、精密機械等の製品に虫が混入することを防止するために捕虫器が利用されている（特許文献１参照）。特許文献１の捕虫器は、捕虫用の光源と、この光源に隣接する位置に設けられた粘着フィルムロールとを備えている。粘着フィルムロールには、一方の面を粘着面とした粘着フィルムが巻回されており、この粘着フィルムが、粘着フィルムロールから光源の周りに掛け回されるとともに支持用ロールに支持されている。同文献の捕虫器において、光源の電源を投入すると、当該光源を囲うように位置する粘着フィルムを通じて捕虫器の正面及び側面側に放射状に発光し、粘着フィルムに虫を誘引するようになっている。
【０００３】
ところで、このような捕虫器にあっては、そのセッティングや運搬を容易に行えるように機器全体が小さいものが要請されたり、飛来する高さ位置が異なる様々な種類の虫を捕獲し易くすべく、上下高さが大きいものが要請されたりする。
【０００４】
【特許文献１】実用新案登録第３０９１７６６号公報
【発明の開示】
【発明が解決しようとする課題】
【０００５】
しかしながら、特許文献１の粘着フィルムにあっては、捕虫可能な領域の上下高さは、帯状をなす粘着フィルムの延出方向に直交する方向の幅によって決定されてしまう。つまり、同文献の構成では、粘着面による捕虫可能な領域の上下高さを拡大及び縮小したサイズとする設計を行えないため、前述した要請に対応することができなくなる。
ここで、仮に、種々の幅の粘着フィルムを製造すれば、前記要請に対応することができるように考えられる。ところが、この場合、特注の粘着フィルム、すなわち、廉価な市販品以外の粘着フィルムを用いることが必要となり、使い勝手が低下するばかりでなく、ランニングコスト上昇の原因となる、という不都合を招来する。
【０００６】
［発明の目的］
本発明は、このような不都合に着目しつつ前述の要請に対応するように案出されたものであり、その目的は、虫を誘引可能な範囲の拡大化を図ることができ、捕虫シートの延出方向の大きさを変えた設計を容易に行うことができる捕虫器を提供することにある。
【課題を解決するための手段】
【０００７】
前記目的を達成するため、本発明は、虫を誘引する誘引手段と、前記誘引手段の近傍に繰り出される捕虫シートと、この捕虫シートの繰り出しを許容し当該捕虫シートを保持する保持手段と、捕虫シートの前記繰り出しを補助する案内手段とを備えた捕虫器において、
前記捕虫シートは、帯状をなす基材シートの一方の面に積層された接着剤層を含み、
前記案内手段は、捕虫シートが誘引手段の近傍に繰り出されたときに、当該捕虫シートの接着剤層側であって幅方向中央部を前記誘引手段の反対側に膨出した状態に形成する、という構成を採っている。
【０００８】
本発明において、前記案内手段は、基材シートの他方の面に当接可能に設けられるとともに、捕虫シートの繰り出し方向に直交する方向の断面形状を湾曲状に膨出形成する、という構成が好ましくは採用される。
【０００９】
また、前記捕虫シートが案内手段に繰り出される前後にそれぞれ設けられたガイドローラを含み、前記案内手段は、ガイドローラから案内手段へ延びる捕虫シートを次第に膨出形成する、という構成を採ることが好ましい。
【００１０】
更に、前記案内手段は、軸線が円弧状に形成されて前記誘引手段を囲う方向に延びる複数の棒状部材を備えて構成されることが好ましい。
【００１１】
また、前記捕虫シートには、基材シートの繰り出し方向に沿う両端に沿って接着剤層を積層しない非接着領域が設けられ、
前記誘引手段を収容する笠部材と、この笠部材に設けられるとともに、前記非接着領域に相対して基材シートの繰り出しを規制するガイド手段とを更に含み、
前記ガイド手段は、笠部材と、基材シートの繰り出し方向に沿う両端との間を含む領域をカバー可能に設けられる、という構成も採用される。
【発明の効果】
【００１２】
本発明によれば、捕虫シートの幅方向中央部が誘引手段の反対側に膨出するので、誘引手段による誘引作用を前方から側方に向かって発揮することができ、捕虫を行う範囲の拡大化を図ることが可能となる。
また、捕虫可能な領域の上下高さを変更しても、同一幅の捕虫シートを利用することができる。従って、安価な市販品の捕虫シートを用いつつ、接着剤層が表出する領域を拡大及び縮小する設計を簡単に行うことが可能となる。これにより、前述した要請に容易に対応することができ、且つ、捕虫シートに要するランニングコストが上昇することを回避することが可能となる。
【００１３】
また、案内手段により捕虫シートの前記断面形状を湾曲状に形成するので、側方から飛来する虫を捕らえ易くなる。
【００１４】
更に、ガイドローラから案内手段へ延びる捕虫シートを当該案内手段により次第に膨出形成するので、捕虫シートの繰り出しをスムースに行うことができる。
【００１５】
また、案内手段が複数の棒状部材を含んで構成される場合、案内手段の構造の簡略化や軽量化を図ることができる他、前記延出方向に沿うサイズを変えた設計を行った場合でも、棒状部材の本数を変更するだけで容易に対応することができる。
【００１６】
更に、ガイド手段により笠部材と基材シートとの間をカバーした場合、捕虫シートの繰り出しの安定化を図りつつ、笠部材の内側に虫が侵入することを回避することができ、メンテナンス作業の負担を軽減することが可能となる。
【発明を実施するための最良の形態】
【００１７】
以下、本発明の好ましい実施の形態について図面を参照しながら説明する。
なお、本明細書において、「未使用」とは、接着剤層を表出する前の状態を意味する他、捕虫を行うべく接着剤層を表出した直後の状態も意味する。また、「使用済み」とは、捕虫を行った後の状態を意味する他、虫が捕獲されていない状態であっても、所定期間捕虫の用に供した状態も意味する。
更に、本明細書及び特許請求の範囲の方向若しくは位置を示す用語は、特に明示しない限り、図１中矢印Ａ方向から見た場合を基準とし、「前」とは矢印Ａ方向から見た場合の手前側を示す一方、「後」とは、同奥行き側について用いられる。
【００１８】
図１には、本実施形態に係る捕虫器の概略斜視図が示されている。また、図２には、その正面図が示され、図３には、その右側面図が示され、図４には、その平面図が示されている。これらの図において、捕虫器１０は、虫を捕獲するための捕虫シート１１と、この捕虫シート１１に沿って位置する誘引手段１２と、捕虫シート１１の繰り出しを許容し保持可能に設けられた保持手段１３と、誘引手段１２と捕虫シート１１との間に設けられた案内手段１５と、この案内手段１５の左右両側に位置するガイド手段１６とを備えて構成されている。
【００１９】
前記捕虫シート１１は、ロール状に巻回された状態から誘引手段１２の前方を通過するように上方から下方に向かって繰り出されるようになっている。捕虫シート１１は、図５（Ａ）及び（Ｂ）に示されるように、帯状をなす基材シート１１Ａと、この基材シート１１Ａの一方の面（図５（Ｂ）中上面）に積層された接着剤層１１Ｂと、この接着剤層１１Ｂによって仮着された剥離シート１１Ｃとを備えている。基材シート１１Ａの繰り出し方向に沿う両端、すなわち、図５中左右両端に沿う位置には、前記接着剤層１１Ｂを積層しない非接着領域１１Ｄがそれぞれ設けられている。
【００２０】
前記誘引手段１２は、図示しない電力源に接続される蛍光灯１８により構成されており、この蛍光灯１８は、平面視コ字状の背面フレーム２０を介して支持されている。背面フレーム２０の左右両側には、前方に向かうに従って次第に拡開する笠部材２１が設けられ、当該笠部材２１の内側に前記蛍光灯１８が収容されている。また、背面フレーム２０の下端側には、平面視略方形状をなす脚部材２３が設けられ、捕虫器１０全体が自立できるようになっている。
【００２１】
前記保持手段１３は、ロール状に巻回された捕虫シート１１を支持する支持手段３３と、この支持手段３３の上方に設けられた剥離手段３４と、前記脚部材２３上に設けられた巻取手段３５と、剥離手段３４及び巻取手段３５に連結され、支持手段３３から巻取手段３５に基材シート１１Ａを繰り出す繰出手段３６とを備えて構成されている。
【００２２】
前記支持手段３３は、背面フレーム２０の上部から若干下方位置に連結されたブラケット３８と、このブラケット３８に片持ち支持されるとともに、ロール状に巻回された捕虫シート１１の回転中心軸位置に設けられた支持軸３９とを備え、ロール状の捕虫シート１１が回転して剥離手段３４側へ繰り出すことができるようになっている。
【００２３】
前記剥離手段３４は、背面フレーム２０の上部右側に連結されたブラケット４１と、捕虫シート１１の剥離シート１１Ｃを折り返して当該剥離シート１１Ｃを後方（図３中右方）へ導く剥離用ローラ４３と、剥離用ローラ４３により剥離された剥離シート１１Ｃを回収する剥離シート回収軸４４とを備えて構成されている。剥離用ローラ４３及び剥離シート回収軸４４は、ブラケット４１によりそれぞれ片持ち支持されている。剥離シート１１Ｃが剥離された後の基材シート１１Ａは、前後一対の上ガイドローラ４６、案内手段１５、下ガイドローラ４７の順に通過するように繰り出される。具体的には、基材シート１１Ａは、未使用の接着剤層１１Ｂを表出しつつ前後一対の上ガイドローラ４６に巻回されて鉛直方向下向きに繰り出され、笠部材２１の下方の下ガイドローラ４７を巻回して巻取手段３５へ案内される。
【００２４】
前記巻取手段３５は、前記脚部材２３に立設されたブラケット４８と、基材シート１１Ａを巻き取る巻取軸４９により構成され、巻取軸４９はブラケット４８に片持ち支持されている。
【００２５】
前記繰出手段３６は、剥離シート回収軸４４及び巻取軸４９にそれぞれ連結されたプーリ５１，５２と、これらプーリ５１，５２に掛け回されたベルト５３と、前記剥離シート回収軸４４に連結された操作ハンドル５５とを備えて構成されている。
【００２６】
前記案内手段１５は、前記笠部材２１前部の内面間に設けられるとともに、上下に所定間隔を隔てて複数設けられた棒状部材５７を備えている。各棒状部材５７は、軸線が平面視円弧状に形成されて前記蛍光灯１８を囲う方向に延びるとともに、前記笠部材２１に図示しないねじ等の固定手段を介して連結されている。また、図６に示されるように、各棒状部材５７は、基材シート１１Ａの後面に当接可能に設けられ、基材シート１１Ａの幅方向（同図中左右方向）中央部を前記蛍光灯１８の反対側に膨出するように形成しつつ繰り出しをガイドし、基材シート１１Ａが後方に撓んだり、ばたつくことを抑制できるようになっている。
【００２７】
前記ガイド手段１６は、図６に示されるように、笠部材２１に支持されている。ガイド手段１６は、鉛直方向に沿って位置するアングル状に形成されるとともに、基材シート１１Ａの非接着領域１１Ｄに相対する位置に設けられた左右一対のガイド板６１と、各ガイド板６１に設けられるとともに、非接触領域１１Ｄに接触可能なシート状の当接部材６２と、各ガイド板６１と笠部材２１を連結するヒンジ部６３とを備えて構成されている。ガイド板６１は、図６に示される状態で、基材シート１１Ａの繰り出し方向に沿う両端（同図中左右両端）と、笠部材２１の前端部との間の隙間Ｓをカバー可能に設けられ、この隙間Ｓから笠部材２１の内部に虫が侵入することを防止できるようになっている。
【００２８】
前記当接部材６２は、厚み方向に収縮変形可能な部材とされ、フェルト材、布材、樹脂材、ゴム等が例示できる。当接部材６２は、基材シート１１Ａの繰り出し時に、前記棒状部材５７とで非接着領域１１Ｄを挟んで摩擦抵抗を付与し、基材シート１１Ａを適度な張力に保ちつつ、基材シート１１Ａの垂れ下がりを抑制するようになっている。
【００２９】
前記ヒンジ部６３は、ガイド板６１を回動可能に支持している。具体的には、上述した基材シート１１Ａを挟む位置と、その位置から退避した位置（図６中二点鎖線で示す位置）との間で回動可能になっている。これにより捕虫シート１１の掛け替えがより迅速に行うことができるうえ、ガイド板６１や棒状部材５７に付着した接着剤の除去が行い易くなっている。
【００３０】
前記捕虫器１０は、図１に示される状態から、蛍光灯１８を発光させると、基材シート１１Ａ及び接着剤層１１Ｂを通じて外部に光が発せられる。このとき、図６に示されるように、基材シート１１Ａの繰り出し方向に直交する方向の断面形状は前方に膨出する湾曲形状となるので、基材シート１１Ａの前方から側方に亘って放射状に発光される。また、光に誘引されて側方より飛来してきた虫を当該接着剤層１１Ｂに接着されて捕獲しやすくなる。
【００３１】
そして、一定期間捕虫を行った後、未使用の接着剤層１１Ｂを前方に表出させる場合、前記繰出手段３６の操作ハンドル５５を図３中矢印Ｒ１方向に回転操作すればよい。これにより、剥離シート回収軸４４が同矢印Ｒ１方向に回転し、剥離シート１１Ｂが巻き取られて回収される。この巻き取りにより、支持手段３３に支持されたロール状の捕虫シート１１が図３中矢印Ｒ２方向に繰り出され、剥離用ローラ４３通過時に剥離シート１１Ｃが順次剥離される。
【００３２】
剥離シート１１Ｃが剥離されると同時に、未使用の接着剤層１１Ｂが表出し、基材シート１１Ａが上ガイドローラ４６から蛍光灯１８の前方に繰り出され、各棒状部材５７とガイド板６１との間に非接着領域１１Ｄが位置し、基材シート１１Ａが下方に案内される。このとき、上ガイドローラ４６から最上位の棒状部材５７へ延びる基材シート１１Ａは、次第に膨出形成されるような形態をなす。また、最下位の棒状部材５７から下ガイドローラ４７へ延びる基材シート１１Ａは、前述した形態と逆の形態、すなわち、前述の膨出形成した状態から基材シート１１Ａの幅方向にフラットとなるように形成される。
【００３３】
ここで、前記操作ハンドル５５の回転操作により、ベルト５３を介して巻取軸４９が矢印Ｒ３方向に回転する。これにより、接着剤層１１Ｂが内側に向けられるように、使用済みの基材シート１１Ａが巻取軸４９に巻き取られる。なお、剥離シート回収軸４４に巻き取られた剥離シート１１Ｃの外径と、巻取軸４９に巻き取られた基材シート１１Ａの外径差による巻取速度（量）の違いは、巻取軸４９に設けられた図示しない滑り機構によって相殺されるようになっている。
【００３４】
このように、捕虫器１０において、単一の駆動源として操作ハンドル５５を回転することにより、剥離シート回収軸４４、ロール状の捕虫シート１１及び巻取軸４９が全て同時に回転する。この回転により、剥離手段３４による剥離シート１１Ｃの剥離及び回収と、誘引手段１２の前方位置への未使用の接着剤層１１Ｂのセットと、使用済みの基材シート１１Ａの回収とを同時に行えるようになる。
【００３５】
従って、このような実施形態によれば、棒状部材５７により基材シート１１Ａの幅方向中央が前方に膨出する湾曲面状になるので、蛍光灯１８の光を広範囲に発することができ、捕虫シート１１に効率良く虫を誘引することが可能となり、更に側方から飛来して来た虫も捕獲しやすくなる。また、図示された捕虫器１０の高さ寸法を変更したものを設計する場合でも、捕虫シート１１の幅寸法を変更せずに用いることが可能となり、コスト的な負担を抑制しつつ、利用環境等に応じた種々のバリエーションの高さの捕虫器１０を提供することができる。
【００３６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３７】
例えば、誘引手段１２は、虫を誘引する作用を奏する限りにおいて種々の変更が可能であり、紫外線の光源に代替、若しくは、前記蛍光灯１８と併用することができる。また、紫外線の光源は蛍光灯１８に替えてＬＥＤ（発光ダイオード）等の他の発光源によって構成してもよい。
【００３８】
また、案内手段１５として複数の棒状部材５７を用いたが、捕虫シート１１を前述のように膨出形成できる限りにおいて変更可能であり、例えば、笠部材２１の上下両側に前記膨出形成に沿う形状をなす板状部材等を設けてもよい。
【００３９】
更に、捕虫器１０は、自立タイプに限られず、壁や天井等に取り付け可能な構成としてもよい。
【図面の簡単な説明】
【００４０】
【図１】実施形態に係る捕虫器の概略斜視図。
【図２】図１の正面図。
【図３】図１の右側面図。
【図４】図１の平面図。
【図５】（Ａ）は、捕虫シートの正面図であり、（Ｂ）は、（Ａ）のＢ−Ｂ線に沿う断面図である。
【図６】図２のＣ−Ｃ線に沿う拡大断面図。
【符号の説明】
【００４１】
１０  捕虫器
１１  捕虫シート
１１Ａ  基材シート
１１Ｂ  接着剤層
１１Ｄ  非接着領域
１２  誘引手段
１３  保持手段
１５  案内手段
１６  ガイド手段
２１  笠部材
４６  上ガイドローラ
４７  下ガイドローラ
５７  棒状部材
【図１】
2008173026.tif 000003
【図２】
2008173026.tif 000004
【図３】
2008173026.tif 000005
【図４】
2008173026.tif 000006
【図５】
2008173026.tif 000007
【図６】
2008173026.tif 000008